(57)【要約】【課題】複数の装置から構成される通信装置を含む場合に、消費電力を低減可能な通信システムを得ること。【解決手段】上位ネットワーク１と端末との間の通信を中継する加入者側装置４と、加入者側装置４と接続するＵＳＢデバイス６と、から構成される通信システムであって、加入者側装置４は、商用電源５またはＵＳＢデバイス６のいずれかから電源の供給を受け、加入者側装置４内のＨＧＷ部２００へ電源を供給するＯＮＵ部１００と、ＯＮＵ部１００から電源供給を受けるＨＧＷ部２００と、を備え、ＵＳＢデバイス６は、加入者側装置４へ電源供給可能なバッテリー、を備え、ＯＮＵ部１００は、ＵＳＢデバイス６から電源の供給を受けている場合は動作モードを省電力モードとし、ＨＧＷ部２００は、ＯＮＵ部１００がＵＳＢデバイス６から電源の供給を受けている場合は動作モードを省電力モードとする。【選択図】図７
2013201543.tif 000002
【特許請求の範囲】
【請求項１】
上位ネットワークと端末との間の通信を中継する加入者側装置と、前記加入者側装置と接続する外部電源供給装置と、から構成される通信システムであって、
前記加入者側装置は、
商用電源または前記外部電源供給装置のいずれかから電源の供給を受け、前記加入者側装置内の他の通信装置へ電源を供給する供給側通信装置と、
前記供給側通信装置から電源供給を受ける受電側通信装置と、
を備え、
前記外部電源供給装置は、
前記加入者側装置へ電源供給可能なバッテリー、
を備え、
前記供給側通信装置は、前記外部電源供給装置から電源の供給を受けている場合、自身の動作モードを通常モードよりも低消費電力で動作可能な省電力モードとし、
前記受電側通信装置は、前記供給側通信装置が前記外部電源供給装置から電源の供給を受けている場合、自身の動作モードを省電力モードとする、
ことを特徴とする通信システム。
【請求項２】
前記外部電源供給装置は、
前記加入者側装置へ電源供給している場合、自身の動作モードを省電力モードとする、
ことを特徴とする請求項１に記載の通信システム。
【請求項３】
前記外部電源供給装置は、
前記商用電源と接続可能であって、前記商用電源から電源供給を受け、前記加入者側装置へ電源供給している場合は自身の動作モードを省電力モードとし、前記商用電源から電源供給を受けておらず、前記加入者側装置へ電源供給している場合は自身の動作モードを省電力モードとする、
ことを特徴とする請求項１に記載の通信システム。
【請求項４】
前記外部電源供給装置は、
接続する装置が判別できない場合、電源供給量に基づいて自身の動作モードを省電力モードとする、
ことを特徴とする請求項１、２または３に記載の通信システム。
【請求項５】
前記供給側通信装置は、前記外部電源供給装置から電源の供給を受けていることを前記受電側通信装置へ通知する、
ことを特徴とする請求項１〜４のいずれか１つに記載の通信システム。
【請求項６】
前記供給側通信装置は、Ｅｔｈｅｒｎｅｔ（登録商標）のＯＡＭフレーム、ＩＰパケット、ＵＳＢによる通知、または専用線による通知、のうち少なくとも１つを用いて前記受電側通信装置への通知を行う、
ことを特徴とする請求項５に記載の通信システム。
【請求項７】
前記受電側通信装置は、前記供給側通信装置を監視し、前記供給側通信装置が前記外部電源供給装置から電源の供給を受けていることを検出する、
ことを特徴とする請求項１〜４のいずれか１つに記載の通信システム。
【請求項８】
前記受電側通信装置は、前記供給側通信装置とのリンク速度が通常モードのときよりも遅くなった場合に、前記供給側通信装置が前記外部電源供給装置から電源の供給を受けていることを検出する、
ことを特徴とする請求項７に記載の通信システム。
【請求項９】
前記外部電源供給装置は、前記受電側通信装置に対して、前記供給側通信装置へ電源の供給をしていることを通知する、
ことを特徴とする請求項１、２または３に記載の通信システム。
【請求項１０】
前記外部電源供給装置は、ＥｔｈｅｒｎｅｔのＯＡＭフレーム、ＩＰパケット、ＵＳＢによる通知、または専用線による通知、のうち少なくとも１つを用いて、前記供給側通信装置へ電源の供給をしていることを前記供給側通信装置へ通知し、
前記供給側通信装置は、前記外部電源供給装置から受けた通知を前記受電側通信装置へ転送する、
ことを特徴とする請求項１、２または３に記載の通信システム。
【請求項１１】
前記外部電源供給装置は、通信可能な範囲の前記受電側通信装置に対して、前記供給側通信装置へ電源の供給をしていることを、ユニキャストまたはブロードキャストで通知する、
ことを特徴とする請求項３に記載の通信システム。
【請求項１２】
前記外部電源供給装置は、通知する情報に自身が備えるバッテリーの充電状態の情報を含ませる、
ことを特徴とする請求項９、１０または１１に記載の通信システム。
【請求項１３】
前記外部電源供給装置は、ノートＰＣ、携帯電話、携帯音楽機器、ＵＳＢハードディスク、タブレット端末、スマートフォン、外付けのバッテリー装置、のうちの少なくとも１つとする、
ことを特徴とする請求項１〜１２のいずれか１つに記載の通信システム。
【請求項１４】
上位ネットワークと端末との間の通信を中継する加入者側装置と、前記加入者側装置と接続する外部電源供給装置と、から構成される通信システムにおける前記加入者側装置であって、前記外部電源供給装置が、前記加入者側装置へ電源供給可能なバッテリー、を備える場合に、
商用電源または前記外部電源供給装置のいずれかから電源の供給を受け、前記加入者側装置内の他の通信装置へ電源を供給する供給側通信装置と、
前記供給側通信装置から電源供給を受ける受電側通信装置と、
を備え、
前記供給側通信装置は、前記外部電源供給装置から電源の供給を受けている場合、自身の動作モードを通常モードよりも低消費電力で動作可能な省電力モードとし、
前記受電側通信装置は、前記供給側通信装置が前記外部電源供給装置から電源の供給を受けている場合、自身の動作モードを省電力モードとする、
ことを特徴とする加入者側装置。
【請求項１５】
前記供給側通信装置は、前記外部電源供給装置から電源の供給を受けていることを前記受電側通信装置へ通知する、
ことを特徴とする請求項１４に記載の加入者側装置。
【請求項１６】
前記供給側通信装置は、ＥｔｈｅｒｎｅｔのＯＡＭフレーム、ＩＰパケット、ＵＳＢによる通知、または専用線による通知、のうち少なくとも１つを用いて前記受電側通信装置への通知を行う、
ことを特徴とする請求項１５に記載の加入者側装置。
【請求項１７】
前記受電側通信装置は、前記供給側通信装置を監視し、前記供給側通信装置が前記外部電源供給装置から電源の供給を受けていることを検出する、
ことを特徴とする請求項１４に記載の加入者側装置。
【請求項１８】
前記受電側通信装置は、前記供給側通信装置とのリンク速度が通常モードのときよりも遅くなった場合に、前記供給側通信装置が前記外部電源供給装置から電源の供給を受けていることを検出する、
ことを特徴とする請求項１７に記載の加入者側装置。
【請求項１９】
上位ネットワークと端末との間の通信を中継する加入者側装置と、前記加入者側装置と接続する外部電源供給装置と、から構成される通信システムにおける前記外部電源供給装置であって、
前記加入者側装置へ電源供給可能なバッテリー、
を備え、
前記加入者側装置へ電源供給している場合、自身の動作モードを省電力モードとする、
ことを特徴とする外部電源供給装置。
【請求項２０】
上位ネットワークと端末との間の通信を中継する加入者側装置と、前記加入者側装置と接続する外部電源供給装置と、から構成される通信システムにおける前記外部電源供給装置であって、
前記加入者側装置へ電源供給可能なバッテリー、
を備え、
前記商用電源と接続可能であって、前記商用電源から電源供給を受け、前記加入者側装置へ電源供給している場合は自身の動作モードを省電力モードとし、前記商用電源から電源供給を受けておらず、前記加入者側装置へ電源供給している場合は自身の動作モードを省電力モードとする、
ことを特徴とする外部電源供給装置。
【請求項２１】
接続する装置が判別できない場合、電源供給量に基づいて自身の動作モードを省電力モードとする、
ことを特徴とする請求項１９または２０に記載の外部電源供給装置。
【請求項２２】
前記加入者側装置が、商用電源または前記外部電源供給装置のいずれかから電源の供給を受け、前記加入者側装置内の他の通信装置へ電源を供給する供給側通信装置と、前記供給側通信装置から電源供給を受ける受電側通信装置と、を備える場合に、
前記受電側通信装置に対して、前記供給側通信装置へ電源の供給をしていることを通知する、
ことを特徴とする請求項１９または２０に記載の外部電源供給装置。
【請求項２３】
前記加入者側装置が、商用電源または前記外部電源供給装置のいずれかから電源の供給を受け、前記加入者側装置内の他の通信装置へ電源を供給する供給側通信装置と、前記供給側通信装置から電源供給を受ける受電側通信装置と、を備える場合に、
ＥｔｈｅｒｎｅｔのＯＡＭフレーム、ＩＰパケット、ＵＳＢによる通知、または専用線による通知、のうち少なくとも１つを用いて、前記供給側通信装置へ電源の供給をしていることを前記供給側通信装置へ通知する、
ことを特徴とする請求項１９または２０に記載の外部電源供給装置。
【請求項２４】
前記加入者側装置が、商用電源または前記外部電源供給装置のいずれかから電源の供給を受け、前記加入者側装置内の他の通信装置へ電源を供給する供給側通信装置と、前記供給側通信装置から電源供給を受ける受電側通信装置と、を備える場合に、
通信可能な範囲の前記受電側通信装置に対して、前記供給側通信装置へ電源の供給をしていることを、ユニキャストまたはブロードキャストで通知する、
ことを特徴とする請求項２０に記載の外部電源供給装置。
【請求項２５】
通知する情報に自身が備えるバッテリーの充電状態の情報を含ませる、
ことを特徴とする請求項２２、２３または２４に記載の外部電源供給装置。
【請求項２６】
前記外部電源供給装置は、ノートＰＣ、携帯電話、携帯音楽機器、ＵＳＢハードディスク、タブレット端末、スマートフォン、外付けのバッテリー装置、のうちの少なくとも１つとする、
ことを特徴とする請求項１９〜２５のいずれか１つに記載の外部電源供給装置。
【発明の詳細な説明】
【技術分野】
【０００１】
本発明は、通信システムに関する。
【背景技術】
【０００２】
従来、通信システムにおいて、ＨＧＷ（Home  Gate  Way）やＯＮＵ（Optical  Network  Unit：光回線終端装置）等の装置は、常時通電されているが、常に全ての機能を最大限に動作させる必要はなく、利用者の就寝時や外出時等には必要最低限の機能・性能による動作でよい。また、ＨＧＷやＯＮＵが通信に利用されていない時にスリープモードになる省電力モードや、通信トラフィックが少ない時に転送方法を変更することで、省電力化することが検討されている。このような技術が下記特許文献１において開示されている。
【０００３】
光回線やＩＰ電話の普及により、上述のシステムのようにＨＧＷやＯＮＵを経由して電話を利用する通信システムが増加している。ここで、停電等により商用電源が家庭等の施設に供給されない状況下でも電話やネット通信（Ｗｅｂやメール等）の需要があるため、電話を利用するためには、ＨＧＷやＯＮＵに電源を供給し動作させることが必要となる。
【先行技術文献】
【特許文献】
【０００４】
【特許文献１】特開２０１０−０３５２０９号公報
【発明の概要】
【発明が解決しようとする課題】
【０００５】
しかしながら、上記従来の技術によれば、外付けバッテリーから電源供給を受ける場合に、ＯＮＵ−ＨＧＷが一体となり動作する通信装置において、直接外付けバッテリーと接続されていない側の装置では、商用電源からの電源供給なのか外付けバッテリーからの電源供給なのか判別できない。そのため、ＯＮＵ−ＨＧＷが一体となり動作する通信装置では、外付けバッテリー駆動時に装置全体として省電力モードに切り替わることができず、消費電力を低減させることができない、という問題があった。
【０００６】
本発明は、上記に鑑みてなされたものであって、複数の装置から構成される通信装置を含む場合に、消費電力を低減可能な通信システムを得ることを目的とする。
【課題を解決するための手段】
【０００７】
上述した課題を解決し、目的を達成するために、本発明は、上位ネットワークと端末との間の通信を中継する加入者側装置と、前記加入者側装置と接続する外部電源供給装置と、から構成される通信システムであって、前記加入者側装置は、商用電源または前記外部電源供給装置のいずれかから電源の供給を受け、前記加入者側装置内の他の通信装置へ電源を供給する供給側通信装置と、前記供給側通信装置から電源供給を受ける受電側通信装置と、を備え、前記外部電源供給装置は、前記加入者側装置へ電源供給可能なバッテリー、を備え、前記供給側通信装置は、前記外部電源供給装置から電源の供給を受けている場合、自身の動作モードを通常モードよりも低消費電力で動作可能な省電力モードとし、前記受電側通信装置は、前記供給側通信装置が前記外部電源供給装置から電源の供給を受けている場合、自身の動作モードを省電力モードとする、ことを特徴とする。
【発明の効果】
【０００８】
本発明によれば、複数の装置から構成される通信装置を含む場合に、消費電力を低減できる、という効果を奏する。
【図面の簡単な説明】
【０００９】
【図１】図１は、実施の形態１におけるネットワークの構成例を示す図である。
【図２】図２は、加入者側装置の構成例を示す図である。
【図３】図３は、給電判定部の構成例を示す図である。
【図４】図４は、給電判定部における給電方法の変化を検出する処理を示すフローチャートである。
【図５】図５は、給電判定部における電源電圧の変化検出処理を示すフローチャートである。
【図６】図６は、ＵＳＢデバイスの構成例を示す図である。
【図７】図７は、実施の形態１におけるネットワークの構成例を示す図である。
【図８】図８は、加入者側装置およびＵＳＢデバイスにおける動作モードの遷移を示すシーケンス図である。
【図９】図９は、加入者側装置の構成例を示す図である。
【図１０】図１０は、実施の形態２におけるネットワークの構成例を示す図である。
【図１１】図１１は、加入者側装置およびＵＳＢデバイスにおける動作モードの遷移を示すシーケンス図である。
【図１２】図１２は、ＵＳＢデバイスにおける動作モードの遷移を示すシーケンス図である。
【図１３】図１３は、Ｅｔｈｅｒｎｅｔ（登録商標）フレーム内の情報を示す図である。
【図１４】図１４は、ＨＧＷ部における動作モードの遷移を示すシーケンス図である。
【図１５】図１５は、ＨＧＷ部における動作モードの遷移を示すシーケンス図である。
【発明を実施するための形態】
【００１０】
以下に、本発明にかかる通信システムの実施の形態を図面に基づいて詳細に説明する。なお、この実施の形態によりこの発明が限定されるものではない。
【００１１】
実施の形態１．
図１は、本実施の形態におけるネットワークの構成例を示す図である。このネットワークでは、グローバル網等の上位ネットワーク１と接続する局側装置２に対して、複数の加入者側装置４が、分配器３経由で接続している。加入者側装置４は、商用電源５から電力供給を受け、ＵＳＢ（Universal  Serial  Bus）接続によりＵＳＢデバイス６等に接続可能な通信装置である。加入者側装置４は、外部電源供給装置であるＵＳＢデバイス６から電源供給を受ける機能を持つ。また、加入者側装置４は、ＩＰ（Internet  Protocol）電話７、アナログ電話８、ＰＣ（Personal  Computer）９、家電１０、ＳＴＢ（Set  Top  Box）１１のような様々な端末と接続することができる。加入者側装置４は、上位ネットワーク１とこれらの端末とを中継する通信装置である。
【００１２】
図２は、加入者側装置４の構成例を示す図である。加入者側装置４は、複数の通信装置を結合した装置から構成されている。加入者側装置４は、光回線終端装置として機能し、商用電源５またはＵＳＢデバイス６のいずれかから電源供給を受ける供給側通信装置であるＯＮＵ部１００と、ホームゲートウェイとして機能し、ＯＮＵ部１００から電源供給を受ける受電側通信装置であるＨＧＷ部２００と、から構成される。
【００１３】
ＯＮＵ部１００は、光信号の送受信処理を行う一般的な構成であるＴＲＸ部１０１、ＰＯＮ（Passive  Optical  Network）  ＬＳＩ（Large  Scale  Integration)部１０２、ＰＨＹ部１０３と、ＨＧＷ部２００側とのインターフェースであるＬＡＮ（Local  Area  Network）部１０４と、商用電源５から電源供給を受ける電源部１０５と、ＵＳＢデバイス６と接続するＵＳＢ部１０６と、ＯＮＵ部１００の動作を制御する制御部１０７と、電源部１０５またはＵＳＢ部１０６のどちらから電源供給を受けているかを判定する給電判定部１０８と、ＵＳＢ部１０６に接続されている装置種別を判定するＵＳＢ接続判定部１０９と、を備える。
【００１４】
ＨＧＷ部２００は、ＯＮＵ部１００側とのインターフェースであるＷＡＮ（Wide  Area  Network）部２０１と、光信号の送受信処理を行う一般的な構成であるＰＨＹ部２０２、ＭＡＣチップ部２０３と、ＩＰ電話７等とのインターフェースであるＬＡＮ部２０４と、アナログ電話８等とのインターフェースであるアナログ部２０５と、ＯＮＵ１００側から電源供給を受ける電源部２０６と、他装置と無線ＬＡＮによる通信が可能な無線ＬＡＮ部２０８と、ＨＧＷ部２００の動作を制御する制御部２０９と、を備える。
【００１５】
ＯＮＵ部１００とＨＧＷ部２００は、電源供給のラインおよび通信のラインで接続されている。電源部１０５は、商用電源５と接続することで電源供給を受け、ＯＮＵ部１００およびＨＧＷ部２００に対して電源供給する。また、ＵＳＢ部１０６は、接続するＵＳＢデバイス６から電源供給を受けることが可能である。ＵＳＢ部１０６は、ＵＳＢデバイス６から電源供給を受けた場合、電源部１０５と同様、ＯＮＵ部１００およびＨＧＷ部２００に対して電源供給することができる。ＯＮＵ部１００において、電源部１０５またはＵＳＢ部１０６のどちらが電源供給しているかは給電判定部１０８が判定する。なお、ＨＧＷ部２００において、アナログ部２０５は、アナログ電話８等と接続する場合、アナログ電話８にも電源供給することができる。
【００１６】
なお、図２では、ＨＧＷ部２００は、ＬＡＮ部２０４およびアナログ部２０５を各１つとしているが、一例であり、それぞれを複数備え、複数の端末（ＩＰ電話７、アナログ電話８等）と接続することが可能である。
【００１７】
つぎに、給電判定部１０８において、電源部１０５またはＵＳＢ部１０６のどちらが電源供給しているかを判定する処理について説明する。図３は、ＯＮＵ部１００の給電判定部１０８の構成例を示す図である。給電判定部１０８は、電源部１０５およびＵＳＢ部１０６それぞれの電圧のＨｉｇｈ／Ｌｏｗを判定し、電源部１０５とＵＳＢ部１０６による給電の切り替わりを判断することができる。
【００１８】
図４は、給電判定部１０８における給電方法の変化を検出する処理を示すフローチャートである。給電判定部１０８は、電源電圧の変化を検出し、変化時にＵＳＢ部１０６の電圧であるのか、電源部１０５の電圧であるのかを判断する。まず、給電判定部１０８では、ＯＮＵ部１００およびＨＧＷ部２００へ供給する電源電圧の変化を検出する（ステップＳ１０１）。
【００１９】
図５は、給電判定部１０８における電源電圧の変化検出処理を示すフローチャートである。給電判定部１０８では、前回検出した電圧を保存し（ステップＳ２０１）、さらに、現在の電圧を保存する（ステップＳ２０２）。そして、給電判定部１０８は、前回と現在の電圧において変化を検出した場合（ステップＳ２０３：Ｙｅｓ）、フラグをセットする（ステップＳ２０４）。一方、前回と現在の電圧において変化を検出しなかった場合（ステップＳ２０３：Ｎｏ）、検出処理を終了する。
【００２０】
図４に戻って、給電判定部１０８は、フラグがセットされていない場合（ステップＳ１０２：Ｎｏ）、ステップＳ１０１に戻って電源電圧の変化を検出する（ステップＳ１０１）。給電判定部１０８は、フラグがセットされている場合（ステップＳ１０２：Ｙｅｓ）、現在の電圧が電源部１０５によるものであれば（ステップＳ１０３：Ｙｅｓ）、電源供給を電源部１０５からの商用電源モードにセットする（ステップＳ１０４）。給電判定部１０８は、現在の電圧が電源部１０５によるものではなく（ステップＳ１０３：Ｎｏ）、現在の電圧がＵＳＢ部１０６によるものであれば（ステップＳ１０５：Ｙｅｓ）、電源供給をＵＳＢ部１０６からのＵＳＢモードにセットする（ステップＳ１０６）。これにより、給電判定部１０８は、電源部１０５側を優先的に用いることができる。なお、ＯＮＵ部１００では、自身がバッテリーを備えることも可能である。この場合、給電判定部１０８は、現在の電圧がＵＳＢ部１０６によるものではないとして（ステップＳ１０５：Ｎｏ）、検出不可と判定する（ステップＳ１０７）。給電判定部１０８では、以降、ステップＳ１０１へ戻り、ＯＮＵ部１００およびＨＧＷ部２００へ供給する電源電圧の変化を検出する。
【００２１】
ここで、加入者側装置４と接続し、加入者側装置４へ電源供給可能なＵＳＢデバイス６の構成について説明する。図６は、ＵＳＢデバイス６の構成例を示す図である。ＵＳＢデバイス６は、ＵＳＢで加入者側装置４と接続するためのインターフェースであるＵＳＢ  Ｉ／Ｆ部５０１と、自装置内に電源供給し、また、加入者側装置４への電源供給が可能なバッテリー５０２と、ＵＳＢの先に接続されている種別を判定するＵＳＢ接続判定部５０３と、接続先の装置に対してＵＳＢでの供給が行われているかを判定するＵＳＢ供給判定部５０４と、ＵＳＢで接続されている装置の種別の情報を保存するためのＵＳＢ接続データベース（ＤＢ）５０５と、自身が商用電源５利用可能時に商用電源５から電源供給を受ける電源部５０６と、自身の動作状態等をＵＳＢ  Ｉ／Ｆ部５０１以外から通知するための無線ＬＡＮ部５０７、ＬＡＮ部５０８と、ＵＳＢデバイス６の動作を制御する制御部５０９と、備える。ＵＳＢデバイス６は、停電時等において加入者側装置４へ電源供給する必要があることから、バッテリー５０２を備えることが必須となる。
【００２２】
つづいて、加入者側装置４およびＵＳＢデバイス６において、商用電源５が利用できない停電時、各装置が消費電力を低減する処理について説明する。図７は、本実施の形態におけるネットワークの構成例を示す図である。ＯＮＵ部１００に商用電源５およびＵＳＢデバイス６が接続している様子を示すものである。また、図８は、加入者側装置４およびＵＳＢデバイス６における動作モードの遷移を示すシーケンス図である。
【００２３】
まず、電源供給側となり得るＵＳＢデバイス６と加入者側装置４がＵＳＢ接続する（ステップＳ３０１）。ＵＳＢデバイス６では、ＵＳＢ接続判定部５０３において、接続しているＵＳＢポートと接続相手（加入者側装置４）のマッピングを行い、装置種別を判定する（ステップＳ３０２）。ＵＳＢ接続判定部５０３は、マッピングした情報をＵＳＢ接続ＤＢ５０５に保存し、ＵＳＢ経由での電源供給を行うべき相手かどうかを判断する。
【００２４】
加入者側装置４は、商用電源５からの電源供給が無くなったとき（ステップＳ３０３）、ＵＳＢ経由での電源供給に切り替える（ステップＳ３０４）。そして、ＵＳＢデバイス６は、加入者側装置４へ電源供給を開始する（ステップＳ３０５）。
【００２５】
ＵＳＢデバイス６では、ＵＳＢ供給判定部５０４が、ＵＳＢでの給電が始まったことを判断すると（ステップＳ３０６）、ＵＳＢ接続判定部５０３が、マッピング情報からＵＳＢ経由での電源供給対象と判断し、制御部５０９の制御によりＵＳＢデバイス６の動作モードを通常モードよりも低消費電力で動作可能な省電力モードとする（ステップＳ３０７）。このときの省電力モードとしては、ＵＳＢ経由での電力供給のみ動作すればよく、他の処理に関しては、停止（スリープ）状態としてもよい。
【００２６】
加入者側装置４では、給電判定部１０８において、ＵＳＢからの電力供給が始まったことを検出し、ＯＮＵ部１００は、制御部１０７の制御により通常モードよりも低消費電力で動作可能な省電力モードへと移行する（ステップＳ３０８）。また、加入者側装置４では、ＨＧＷ部２００は、ＯＮＵ部１００がＵＳＢデバイス６から電源供給を受けていること、または省電力モードへと移行したことを検出し、制御部２０９の制御により、自身も省電力モードへと移行する（ステップＳ３０９）。
【００２７】
ＵＳＢ経由でＵＳＢデバイス６から給電が行われることにより、加入者側装置４では、商用電源５からの電源供給が途絶えても動作を継続することができる。また、アナログ部１０５に接続されたアナログ電話８も、アナログ部２０５経由で電源供給を受けることにより、利用することができる。また、ＬＡＮ部２０４側にノートＰＣなどバッテリーで駆動するものが接続されている場合には、そのような装置も加入者側装置４を用いて通信することができる。
【００２８】
ＨＧＷ部２００において、ＯＮＵ部１００がＵＳＢデバイス６から電源供給を受けていることまたは省電力モード移行を検出する方法としては、例えば、ＨＧＷ部２００がＯＮＵ部１００の動作モードを監視する方法や、ＯＮＵ部１００がＵＳＢ給電になったことをＨＧＷ部２００へ通知する方法や、ＵＳＢデバイス６とＨＧＷ部２００がＬＡＮや無線ＬＡＮ等で直接通信できる場合には、ＵＳＢデバイス６が直接ＨＧＷ部２００へ給電方法が変わったことを通知する方法があるが、これらに限定するものではない。
【００２９】
なお、ＵＳＢデバイス６では、省電力モード中に何らかの処理が発生した場合、制御部５０９は、必要な機能（構成）をスリープ状態から通常モードに戻し（ステップＳ３１０）、発生した処理終了後（ステップＳ３１１）、再度、動作モードを省電力モードとする（ステップＳ３１２）。
【００３０】
そして、加入者側装置４において、商用電源５からの電源供給が復旧した場合（ステップＳ３１３）、ＵＳＢデバイス６は、加入者側装置４への電源供給を終了する（ステップＳ３１４）。
【００３１】
その後、ＵＳＢデバイス６では、ＵＳＢ供給判定部５０４がＵＳＢによる電源供給の終了を検出し、制御部５０９の制御により、動作モードを通常モードに戻す（ステップＳ３１５）。
【００３２】
加入者装置４では、ＯＮＵ部１００において、給電判定部１０８が電源部１０５からの電源供給を確認し、制御部１０７の制御により、動作モードを通常モードに移行する。また、加入者側装置４では、ＨＧＷ部２００は、ＯＮＵ部１００が商用電源５から電源供給を受けていること、またはＯＮＵ部１００が通常モードへと移行したことを検出し、制御部２０９の制御により、自身も通常モードへと移行する（ステップＳ３１６）。
【００３３】
このように、ＵＳＢデバイス６（具体的にはノートＰＣ等）を外部電源供給装置である外付けのバッテリー供給源として、ＵＳＢデバイス６と加入者側装置４とを接続し、ＵＳＢデバイス６のバッテリー電力を電源として、加入者側装置４（ＯＮＵ部１００、ＨＧＷ部２００）を動作させることができる。
【００３４】
容量制限のある外付けのバッテリーのみを利用する場合、処理能力よりも利用時間をできるだけ伸ばすことが必要となるため、ＯＮＵ部１００やＨＧＷ部２００では、商用電源５利用時と同様の動作をしていると利用時間が短くなる。容量制限のある外付けのバッテリーから給電されている通信システムでは、利用時間をできるだけ延長することが必要となる。通信システムの利用時間を持たせる方法としては、上述のように、加入者側装置４とＵＳＢデバイス６における省電力化が必要となる。
【００３５】
需要側である加入者側装置４（ＯＮＵ部１００、ＨＧＷ部２００）を省電力化する場合について説明する。加入者側装置４は、ＯＮＵ−ＨＧＷ一体型筐体であって複数の装置が結合して動作しており、一方の装置（ＯＮＵ部１００）に電源コンセントやＵＳＢが備わっており、他方の装置（ＨＧＷ部２００）は、電力線等を経由して供給される構成である。直接商用電源５またはＵＳＢ等で給電されている側の装置（ＯＮＵ部１００）は、ＵＳＢで接続している給電元の装置を判断し、その給電装置が容量制限のあるバッテリー系統の装置である場合には、通信の有無に関わらず、性能を落とす省電力モードへと移行する。商用電源５およびＵＳＢインターフェースから直接給電可能なＯＮＵ部１００は、間接的に電力が供給されるＨＧＷ部２００に対して通知メッセージを送信し、ＨＧＷ部２００を省電力モードへと移行させる。
【００３６】
このため、まず、ＯＮＵ部１００は電源供給元の装置の種別を判断し、装置種別により、供給元が容量制限のある装置である場合には、省電力モードに切り替える。この時、ＵＳＢデバイス６からの給電となる場合、給電元の装置との情報の送受信が行うことが可能であるため、この際、自身の装置がＯＮＵ部１００等特定の接続先であることを、ＵＳＢデバイス６側にも伝える。直接接続していないＨＧＷ部２００においては、その状況の変化を検出することができない場合、直接供給を受けているＯＮＵ部１００等からメッセージ通知を受け、間接的に省電力モードへと移行する。
【００３７】
省電力モードとしては、必要最低限の機能のみ動作させるものとする。電話の利用が最重要とされる場合においては、ＨＧＷ部２００のアナログ部２０５およびＷＡＮ部２０１の機能のみ動作させ、他の機能はスリープもしくは停止させる。ＯＮＵ部１００においては、電話の音声データが通信できればよい分だけの能力を持たせるため、Ｅｔｈｅｒポートのリンク速度を遅くし（例えば、１Ｇｂｐｓから１００／１０Ｍｂｐｓ等）省電力とする。直接供給されていないＨＧＷ部２００は、結合されている近隣の装置が特定のための機能のみ動作させた省電力モードであること、またはＯＮＵ部１００がＵＳＢデバイス６から電源供給を受けていることを検出し、自身も省電力モードになる。
【００３８】
つぎに、供給側であるノートＰＣ等のバッテリーを備えたＵＳＢデバイス６を省電力化する場合について説明する。ＵＳＢデバイス６が加入者側装置４の特定のＵＳＢに接続した時、ＵＳＢデバイス６から加入者側装置４に対して電力の供給を行う。ＵＳＢデバイス６自体が処理を必要としない場合には、ＵＳＢ経由での供給機能を除き、他の機能は停止させる。これにより、ＵＳＢデバイス６は、給電以外に使用される電力は無くなるため、ＵＳＢデバイス６自体の利用可能時間が延長される。
【００３９】
なお、ＵＳＢデバイス６がＵＳＢで接続相手が特定できない場合、後述するように、ＵＳＢデバイス６からの電力供給量によって判断してもよい。つまり、加入者側装置４に対しては、ＯＮＵ部１００およびＨＧＷ部２００を動作させる分の電力量が必要であるため、ＵＳＢメモリ等の消費電力が低いものと比べて、利用される消費電力が高くなる。すなわち、ＵＳＢデバイス６のバッテリー消費量が多くなる。この量をＵＳＢデバイス６で判断し、バッテリーの残量の減り方が多い、つまり相手先が必要としている電力量が多い場合に、供給機能以外の能力を停止させる状態へ移行してもよい。
【００４０】
なお、電源供給元であるＵＳＢデバイス６としては、ノートＰＣの他、携帯電話、携帯音楽機器、ＵＳＢハードディスク、タブレット端末、スマートフォン、外付けのバッテリー装置等、バッテリーを備え、ＵＳＢ経由で電力を与えることができる装置であればよい。自身で処理能力を持つものである場合には、その処理能力を抑え、供給能力以外はスリープモード等にする。電源供給元である装置自身が処理を必要とする（メール受信やＷｅｂブラウジングを行う等）場合には、一時的にスリープ状態を解除し、処理を行えるだけの消費電力モードとなってもよい。
【００４１】
以上説明したように、本実施の形態によれば、複数の通信装置（ＯＮＵ部１００、ＨＧＷ部２００）から構成される加入者側装置４では、バッテリーを搭載したＵＳＢデバイス６と接続している場合、商用電源５からの電源供給が無くなったとき、ＵＳＢデバイス６からの電源供給に切り替える。このとき、加入者側装置４では、商用電源５およびＵＳＢデバイス６と接続するＯＮＵ部１００が省電力モードとなり、さらにＨＧＷ部２００において、ＯＮＵ部１００がＵＳＢデバイス６から電源供給を受けていること、またはＯＮＵ部１００の省電力モードを検知して自身も省電力モードになることとした。これにより、加入者側装置４では、商用電源５からの電源供給が無くなった場合に、ＵＳＢデバイス６から電源供給を受けるとともに、消費電力を低減して動作することが可能となる。
【００４２】
また、加入者側装置４と通信システムを構成するＵＳＢデバイス６は、加入者側装置４へ電源供給を開始した場合、自身も省電力モードになることで、ＵＳＢデバイス６自身も商用電源５から電源供給を受けていない場合に、自身の消費電力を低減でき、加入者側装置４へ電源供給可能な時間を延長でき、加入者側装置４の動作時間（利用時間）を延長することが可能となる。
【００４３】
実施の形態２．
本実施の形態では、加入者側装置において、ＨＧＷ部がＵＳＢデバイスおよび商用電源と接続する。実施の形態１と異なる部分について説明する。
【００４４】
本実施の形態におけるネットワークの構成は実施の形態１（図１参照）と同様であるが、加入者側装置４に換えて加入者側装置４ａとする。図９は、加入者側装置４ａの構成例を示す図である。加入者側装置４ａは、複数の通信装置を結合した装置から構成されている。加入者側装置４ａは、ホームゲートウェイとして機能し、商用電源５またはＵＳＢデバイス６のいずれかから電源の供給を受ける供給側通信装置ＨＧＷ部４００と、光回線終端装置として機能し、ＨＧＷ部４００から電源の供給を受ける受電側通信装置ＯＮＵ部３００と、から構成される。
【００４５】
ＯＮＵ部３００は、光信号の送受信処理を行う一般的な構成であるＴＲＸ部３０１、ＰＯＮ  ＬＳＩ部３０２、ＰＨＹ部３０３と、ＨＧＷ部４００側とのインターフェースであるＬＡＮ部３０４と、ＨＧＷ部４００から電源供給を受ける電源部３０５と、ＯＮＵ部３００の動作を制御する制御部３０７と、を備える。
【００４６】
ＨＧＷ部４００は、ＯＮＵ部３００側とのインターフェースであるＷＡＮ部４０１と、光信号の送受信処理を行う一般的な構成であるＰＨＹ部４０２、ＭＡＣチップ部４０３と、ＩＰ電話７等とのインターフェースであるＬＡＮ部４０４と、アナログ電話８等とのインターフェースであるアナログ部４０５と、商用電源５から電力供給を受ける電源部４０６と、ＵＳＢデバイス６と接続するＵＳＢ部４０７と、他装置と無線ＬＡＮによる通信が可能な無線ＬＡＮ部４０８と、ＨＧＷ部４００の動作を制御する制御部４０９と、電源部４０６またはＵＳＢ部４０７のどちらから電源供給を受けているかを判定する給電判定部４１０と、ＵＳＢ部４０７に接続されている装置種別を判定するＵＳＢ接続判定部４１１と、を備える。
【００４７】
ＯＮＵ部３００とＨＧＷ部４００は、電源供給のラインと通信のラインで接続されている。電源部４０６は、商用電源５と接続することで電源供給を受け、ＨＧＷ部４００およびＯＮＵ部３００に対して電源供給する。また、ＵＳＢ部４０７は、接続するＵＳＢデバイス６から電源供給を受けることが可能である。ＵＳＢ部４０７は、ＵＳＢデバイス６から電源供給を受けた場合、電源部４０６と同様、ＨＧＷ部４００およびＯＮＵ部３００に対して電源供給することができる。ＨＧＷ部４００において、電源部４０６またはＵＳＢ部４０７のどちらが電源供給しているかは給電判定部４１０が判定する。なお、ＨＧＷ部４００において、アナログ部４０５は、アナログ電話８等と接続する場合、アナログ電話８にも電力を供給することができる。
【００４８】
実施の形態１のＨＧＷ部２００同様、ＨＧＷ部４００は、ＬＡＮ部４０４およびアナログ部４０５を各１つとしているが、一例であり、それぞれを複数備え、複数の端末（ＩＰ電話７、アナログ電話８等）と接続することが可能である。また、給電判定部４１０における構成および動作は、実施の形態１の給電判定部１０８（図３〜図５参照）と同様である。
【００４９】
つづいて、加入者側装置４ａおよびＵＳＢデバイス６において、商用電源５が利用できない停電時、各装置が消費電力を低減する処理について説明する。図１０は、本実施の形態におけるネットワークの構成例を示す図である。ＨＧＷ部４００に商用電源５およびＵＳＢデバイス６が接続している様子を示すものである。また、図１１は、加入者側装置４ａおよびＵＳＢデバイス６における動作モードの遷移を示すシーケンス図である。
【００５０】
まず、電源供給側となり得るＵＳＢデバイス６と加入者側装置４ａがＵＳＢ接続する（ステップＳ４０１）。ＵＳＢデバイス６では、ＵＳＢ接続判定部５０３において、接続しているＵＳＢポートと接続相手（加入者側装置４ａ）のマッピングを行い、装置種別を判定する（ステップＳ４０２）。ＵＳＢ接続判定部５０３は、マッピングした情報をＵＳＢ接続ＤＢ５０５に保存し、ＵＳＢ経由での電源供給を行うべき相手かどうかを判断する。
【００５１】
加入者側装置４ａは、商用電源５からの電源供給が無くなったとき（ステップＳ４０３）、ＵＳＢ経由での電源供給に切り替える（ステップＳ４０４）。そして、ＵＳＢデバイス６は、加入者側装置４ａへ電源供給を開始する（ステップＳ４０５）。
【００５２】
ＵＳＢデバイス６では、ＵＳＢ供給判定部５０４が、ＵＳＢでの給電が始まったことを判断すると（ステップＳ４０６）、ＵＳＢ接続判定部５０３が、マッピング情報からＵＳＢ経由での電源供給対象と判断し、制御部５０９の制御によりＵＳＢデバイス６の動作モードを省電力モードとする（ステップＳ４０７）。このときの省電力モードとしては、ＵＳＢ経由での電力供給のみ動作すればよく、他の処理に関しては、停止（スリープ）状態としてもよい。
【００５３】
加入者側装置４ａでは、給電判定部４１０において、ＵＳＢからの電力供給が始まったことを検出し、ＨＧＷ部４００は、制御部４０９の制御により省電力モードへと移行する（ステップＳ４０８）。また、加入者側装置４ａでは、ＨＧＷ部４００が、ＵＳＢデバイス６から電源供給を受けていること、または省電力モードへと移行したことをＯＮＵ部３００へ通知し、ＯＮＵ部３００は、制御部３０７の制御により、自身も省電力モードへと移行する（ステップＳ４０９）。
【００５４】
ＵＳＢデバイス６では、省電力モード中に何らかの処理が発生した場合、制御部５０９は、必要な機能（構成）をスリープ状態から通常モードに戻し（ステップＳ４１０）、発生した処理終了後（ステップＳ４１１）、再度、動作モードを省電力モードとする（ステップＳ４１２）。
【００５５】
そして、加入者側装置４ａにおいて、商用電源５からの電源供給が復旧した場合（ステップＳ４１３）、ＵＳＢデバイス６は、加入者側装置４ａへ電源供給を終了する（ステップＳ４１４）。
【００５６】
その後、ＵＳＢデバイス６では、ＵＳＢ供給判定部５０４がＵＳＢによる電源供給の終了を検出し、制御部５０９の制御により、動作モードを通常モードに戻す（ステップＳ４１５）。
【００５７】
加入者装置４ａでは、ＨＧＷ部４００において、給電判定部４１０が電源部４０６からの電源供給を確認し、制御部４０９の制御により、動作モードを通常モードに移行する。また、加入者側装置４ａでは、ＯＮＵ部３００は、ＨＧＷ部４００から通常モードへと移行したことの通知を受け、制御部３０７の制御により、自身も通常モードへと移行する（ステップＳ４１６）。
【００５８】
なお、加入者装置４ａでは、ＨＧＷ部４００からＯＮＵ部３００へ動作モードを通知することとしたが、これに限定するものではない。ＯＮＵ部３００は無線ＬＡＮを備えていないが、直接ＵＳＢデバイス６と情報のやり取りをできる場合には、ＯＮＵ部３００は、直接ＵＳＢデバイス６から給電の状態を受けるようにしてもよい。また、ＯＮＵ部３００がＨＧＷ部４００の動作モードを監視するようにしてもよい。
【００５９】
以上説明したように、本実施の形態によれば、複数の通信装置（ＯＮＵ部３００、ＨＧＷ部４００）から構成される加入者側装置４ａでは、バッテリーを搭載したＵＳＢデバイス６と接続している場合、商用電源５からの電源供給が無くなったとき、ＵＳＢデバイス６からの電源供給に切り替える。このとき、加入者側装置４ａでは、商用電源５およびＵＳＢデバイス６と接続するＨＧＷ部４００が省電力モードとなり、さらにＨＧＷ部４００が自身の動作モードをＯＮＵ部３００へ通知し、ＯＮＵ部３００も省電力モードになることとした。これにより、加入者側装置４ａでは、商用電源５からの電源供給が無くなった場合に、ＵＳＢデバイス６から電源供給を受けるとともに、消費電力を低減して動作することが可能となる。
【００６０】
また、加入者側装置４ａと通信システムを構成するＵＳＢデバイス６は、加入者側装置４ａへ電源供給を開始した場合、自身も省電力モードになることで、ＵＳＢデバイス６自身も商用電源５から電源供給を受けていない場合に、自身の消費電力を低減でき、加入者側装置４ａへ電源供給可能な時間を延長でき、加入者側装置４ａの動作時間（利用時間）を延長することが可能となる。
【００６１】
実施の形態３．
実施の形態１、２で説明したように、加入者側装置４、４ａおよびＵＳＢデバイス６では、様々な電源供給の組み合わせが想定されている。本実施の形態では、各構成に対する電源供給の組み合わせとそのときの動作モードについて説明する。
【００６２】
まず、実施の形態１の場合について説明する。実施の形態１の構成（図７参照）では、商用電源５と直接接続して利用できる装置は加入者側装置４のＯＮＵ部１００、およびＵＳＢデバイス６である。また、バッテリーとして動作できる装置はＵＳＢデバイス６である。加入者側装置４のＯＮＵ部１００およびＵＳＢデバイス６は、自身の判断で動作モードを省電力モードに切り替えることができる。図７に示す構成では、各構成に対する電源供給の組み合わせは以下の４つのパターンが考えられる。
【００６３】
（１）ＵＳＢデバイス６：商用電源５より供給、ＯＮＵ部１００：商用電源５より供給、ＨＧＷ部２００：ＯＮＵ部１００より供給の場合
各装置は、通常の商用電源５より給電されている状態であるため、通常モードで動作可能である。なお、加入者側装置４（ＯＮＵ部１００、ＨＧＷ部２００）では、通信が無い場合には、省電力モードに移行することも可能である。
【００６４】
（２）ＵＳＢデバイス６：バッテリー５０２より供給、ＯＮＵ部１００：商用電源５より供給、ＨＧＷ部２００：ＯＮＵ部１００より供給の場合
例えば、ＵＳＢデバイス６が商用電源５から抜かれて持ち運ばれ、加入者側装置４に接続されているような状態である。加入者側装置４は、商用電源５からの電力を受けているため、加入者側装置４（ＯＮＵ部１００、ＨＧＷ部２００）では、通常モードでの動作が可能である。また、ＵＳＢデバイス６は、バッテリー駆動であるが、加入者側装置４へ電源供給はしていないため、通常の省電力モードでよい。
【００６５】
（３）ＵＳＢデバイス６：商用電源５より供給、ＯＮＵ部１００：ＵＳＢデバイス６より供給、ＨＧＷ部２００：ＯＮＵ部１００より供給の場合
加入者側装置４では、商用電源５からの電源供給が途絶えているため、ＵＳＢデバイス６からの給電となっている。この場合、加入者側装置４では、ＯＮＵ部１００がＵＳＢデバイス６からの供給となっていることを判断し省電力モードへと移行する。同様に、加入者側装置４では、ＨＧＷ部２００も省電力モードに移行する。なお、ＵＳＢデバイス６は、商用電源５より電源供給を受けているため、通常モードでの動作が可能である。
【００６６】
（４）ＵＳＢデバイス６:バッテリー５０２より供給、ＯＮＵ部１００:ＵＳＢデバイス６より供給、ＨＧＷ部２００：ＯＮＵ部１００より供給の場合
停電時等、各装置において商用電源５からの電源供給が途絶えた状況である。この場合、加入者側装置４では、商用電源５からの電源供給が途絶えているため、ＵＳＢデバイス６からの給電となっているが、ＵＳＢデバイス６もバッテリー駆動である。そのため、加入者側装置４（ＯＮＵ部１００、ＨＧＷ部２００）は省電力モードとなり、ＵＳＢデバイス６も省電力モードとなる。なお、（４）において各装置は省電力モードとなるが、（１）〜（３）の場合と比較して、より消費電力を低減可能なモードにしてもよい。これにより、システム全体としての動作時間（利用時間）を延長することが可能となる。
【００６７】
つぎに、実施の形態２の場合について説明する。実施の形態２の構成（図１０参照）では、商用電源５と直接接続して利用できる装置は加入者側装置４ａのＨＧＷ部４００、およびＵＳＢデバイス６である。また、バッテリーとして動作できる装置はＵＳＢデバイス６である。加入者側装置４ａのＨＧＷ部４００およびＵＳＢデバイス６は、自身の判断で動作モードを省電力モードに切り替えることができる。図１０に示す構成では、各構成に対する電源供給の組み合わせは以下の４つのパターンが考えられる。
【００６８】
（５）ＵＳＢデバイス６：商用電源５より供給、ＨＧＷ部４００：商用電源５より供給、ＯＮＵ部３００：ＨＧＷ部４００より供給の場合
各装置は、通常の商用電源５より給電されている状態であるため、通常モードで動作可能である。なお、加入者側装置４ａ（ＨＧＷ部４００、ＯＮＵ部３００）では、通信が無い場合には、省電力モードに移行することも可能である。
【００６９】
（６）ＵＳＢデバイス６：バッテリー５０２より供給、ＨＧＷ部４００：商用電源５より供給、ＯＮＵ部３００：ＨＧＷ部４００より供給の場合
例えば、ＵＳＢデバイス６が商用電源５から抜かれて持ち運ばれ、加入者側装置４ａに接続されているような状態である。加入者側装置４ａは、商用電源５からの電力を受けているため、加入者側装置４ａ（ＨＧＷ部４００、ＯＮＵ部３００）では、通常モードでの動作が可能である。また、ＵＳＢデバイス６は、バッテリー駆動であるが、加入者側装置４ａへ電源供給はしていないため、通常の省電力モードでよい。
【００７０】
（７）ＵＳＢデバイス６：商用電源５より供給、ＨＧＷ部４００：ＵＳＢデバイス６より供給、ＯＮＵ部３００：ＨＧＷ部４００より供給の場合
加入者側装置４ａでは、商用電源５からの電源供給が途絶えているため、ＵＳＢデバイス６からの給電となっている。この場合、加入者側装置４ａでは、ＨＧＷ部４００がＵＳＢデバイス６からの供給となっていることを判断し省電力モードへと移行する。同様に、加入者側装置４ａでは、ＯＮＵ部３００も省電力モードに移行する。なお、ＵＳＢデバイス６は、商用電源５より電源供給を受けているため、通常モードでの動作が可能である。
【００７１】
（８）ＵＳＢデバイス６:バッテリー５０２より供給、ＨＧＷ部４００:ＵＳＢデバイス６より供給、ＯＮＵ部３００：ＨＧＷ部４００より供給の場合
停電時等、各装置において商用電源５からの電源供給が途絶えた状況である。この場合、加入者側装置４ａでは、商用電源５からの電源供給が途絶えているため、ＵＳＢデバイス６からの給電となっているが、ＵＳＢデバイス６もバッテリー駆動である。そのため、加入者側装置４ａ（ＨＧＷ部４００、ＯＮＵ部３００）は省電力モードとなり、ＵＳＢデバイス６も省電力モードとなる。なお、（８）において各装置は省電力モードとなるが、（５）〜（７）の場合と比較して、より消費電力を低減可能なモードにしてもよい。これにより、システム全体としての動作時間（利用時間）を延長することが可能となる。
【００７２】
このように、加入者側装置４、４ａおよびＵＳＢデバイス６が動作モードを変更することにより、これらの装置から構成される通信システムでは、システム全体としての動作時間（利用時間）を延長することが可能となる。
【００７３】
実施の形態４．
実施の形態１〜３では、ＵＳＢデバイス６は、ＵＳＢ接続する相手（加入者側装置４、４ａ）を認識し、必要に応じて省電力モードに移行していた。本実施の形態では、ＵＳＢデバイス６がＵＳＢ接続する相手装置を判断できない場合について説明する。実施の形態１〜３と異なる部分について説明する。
【００７４】
加入者側装置４およびＵＳＢデバイス６において、商用電源５が利用できない停電時、ＵＳＢデバイス６が消費電力を低減する処理について説明する。図１２は、ＵＳＢデバイス６における動作モードの遷移を示すシーケンス図である。一例としてＵＳＢ接続する装置を加入者側装置４としているが、加入者側装置４ａとしても同様である。
【００７５】
まず、電源供給側となり得るＵＳＢデバイス６と加入者側装置４がＵＳＢ接続する（ステップＳ５０１）。ＵＳＢデバイス６では、ＵＳＢ接続判定部５０３において、接続している接続相手（加入者側装置４）が判断できないため装置種別を判定できず、マッピング情報をＵＳＢ接続ＤＢ５０５に保存することができない（ステップＳ５０２）。
【００７６】
加入者側装置４は、商用電源５からの電源供給が無くなったとき（ステップＳ５０３）、ＵＳＢ経由での電源供給に切り替える（ステップＳ５０４）。そして、ＵＳＢデバイス６は、加入者側装置４へ電源供給を開始する（ステップＳ５０５）。
【００７７】
ＵＳＢデバイス６では、供給先の装置については不明であるが、ＵＳＢ供給判定部５０４が、ＵＳＢ経由での一定以上の給電があると判断し（ステップＳ５０６）、制御部５０９の制御によりＵＳＢデバイス６の動作モードを省電力モードとする（ステップＳ５０７）。このときの省電力モードとしては、ＵＳＢ経由での電力供給のみ動作すればよく、他の処理に関しては、停止（スリープ）状態としてもよい。
【００７８】
ＵＳＢデバイス６では、省電力モード中に何らかの処理が発生した場合、制御部５０９は、必要な機能（構成）をスリープ状態から通常モードに戻し（ステップＳ５０８）、発生した処理終了後（ステップＳ５０９）、再度、動作モードを省電力モードとする（ステップＳ５１０）。
【００７９】
そして、加入者側装置４において、商用電源５からの電源供給が復旧した場合（ステップＳ５１１）、ＵＳＢデバイス６は、加入者側装置４への電源供給を終了する（ステップＳ５１２）。
【００８０】
その後、ＵＳＢデバイス６では、ＵＳＢ供給判定部５０４がＵＳＢによる電源供給の終了を検出し、制御部５０９の制御により、動作モードを通常モードに戻す（ステップＳ５１３）。
【００８１】
以上説明したように、本実施の形態によれば、ＵＳＢデバイス６では、接続相手が判断できない場合、ＵＳＢ経由で一定以上の電力給電があるときは、自身を省電力モードに移行することができる。この場合においても、ＵＳＢデバイス６、および加入者側装置４または加入者側装置４ａから構成される通信システムでは、停電時等、各装置において商用電源５からの電源供給が途絶えた状況において、システム全体としての動作時間（利用時間）を延長することが可能となる。
【００８２】
実施の形態５．
実施の形態１〜４において、ＯＮＵ部１００からＨＧＷ部２００へ電源供給モードの変更等を通知する場合、またはＨＧＷ部４００からＯＮＵ部３００へ電源供給モードの変更等を通知する場合において、例えば、Ｅｔｈｅｒ  Ｉ／Ｆで通知する方法や、専用線で通知する方法を用いることも可能である。Ｅｔｈｅｒ  Ｉ／Ｆで通知する場合には、ＯＡＭフレームのオプションコードに情報を埋め込み、双方の装置間で判断してもよい。また、Ｅｔｈｅｒケーブルで接続されているもののうち、利用されていない線を活用して双方の装置間で通知してもよい。
【００８３】
また、無線ＬＡＮでの通信が可能な場合、ＵＳＢデバイス６からＨＧＷ部２００またはＯＮＵ部３００へ直接電源供給モードを通知することも可能である。また、ＩＰパケットやＵＳＢによる通知、専用線がある場合には専用線による通知等を用いることが可能である。
【００８４】
また、各装置がＥｔｈｅｒｎｅｔで接続されている場合には、Ｅｔｈｅｒｎｅｔフレームに含まれる情報領域を用いてもよい。図１３は、Ｅｔｈｅｒｎｅｔフレーム内の情報を示す図である。上の表はＥｔｈｅｒｎｅｔフレーム内の情報を示し、下のフレームは上の表の「Ｅｎｃｏｒｄｉｎｇ」内の「Ｃｏｎｆｉｇ＿Ｒｅｇa」の情報を示す。このように、８Ｂ／１０Ｂ、６４Ｂ／６６Ｂ符号化のオーダセットカラムの制御コードの予約領域（フレーム中の「ｒｓｖｄ」）を利用することも可能である。
【００８５】
実施の形態６．
本実施の形態では、ＵＳＢデバイス６としてノートＰＣを想定し、加入者側装置４において、直接ＵＳＢデバイス６と接続していないＨＧＷ部２００が動作モードを変更する方法について説明する。実施の形態１〜５と異なる部分について説明する。
【００８６】
図１４は、加入者側装置４のＨＧＷ部２００における動作モードの遷移を示すシーケンス図である。一例としてＵＳＢ接続する装置を加入者側装置４としているが、加入者側装置４ａ（この場合、直接ＵＳＢ接続していないのはＯＮＵ部３００である）としても同様である。
【００８７】
まず、電源供給側となり得るＵＳＢデバイス６としてノートＰＣと加入者側装置４のＯＮＵ部１００がＵＳＢ接続する（ステップＳ６０１）。
【００８８】
ＯＮＵ部１００は、ＵＳＢ経由での電源供給による動作に切り替える（ステップＳ６０２）。そして、ノートＰＣは、ＯＮＵ部１００へ電源供給を開始する（ステップＳ６０３）。
【００８９】
ノートＰＣでは、動作モードを省電力モードとし（ステップＳ６０４）、ＯＮＵ部１００へＵＳＢ給電を開始したことを、無線ＬＡＮ等を用いて直接ＨＧＷ部２００へ通知する（ステップＳ６０５）。
【００９０】
ＨＧＷ部２００は、ノートＰＣからの通知を受けて、動作モードを省電力モードへ移行する（ステップＳ６０６）。
【００９１】
ＯＮＵ部１００は、商用電源５からの電源供給が復旧した場合（ステップＳ６０７）、電源供給元をノートＰＣから商用電源５に切り替える（ステップＳ６０８）。そして、ノートＰＣは、ＯＮＵ部１００への電源供給を終了する（ステップＳ６０９）。
【００９２】
その後、ノートＰＣでは、動作モードを通常モードに戻し（ステップＳ６１０）、ＯＮＵ部１００へＵＳＢ給電を終了したことを、無線ＬＡＮ等を用いて直接ＨＧＷ部２００へ通知する（ステップＳ６１１）。
【００９３】
ＨＧＷ部２００は、ノートＰＣからの通知を受けて、動作モードを通常モードへ移行する（ステップＳ６１２）。
【００９４】
このように、ＵＳＢデバイス６がノートＰＣのように無線ＬＡＮ等による通信が可能な場合には、ノートＰＣからＵＳＢ接続していない通信装置へ直接通知を行うことも可能である。具体的には、ノートＰＣは、ＤＨＣＰ（Dynamic  Host  Configuration  Protocol）などで近隣のＨＧＷ部２００を認識している場合には、ユニキャストで通知をしてもよいし、通信システム内においてブロードキャストで通知を行ってもよい。
【００９５】
つぎに、ノートＰＣとＨＧＷ部２００の間で無線ＬＡＮ等による直接通知ができない場合には、ＯＮＵ部１００を経由する方法を用いてもよい。図１５は、加入者側装置４のＨＧＷ部２００における動作モードの遷移を示すシーケンス図である。図１４と同様、加入者側装置４ａ（この場合、直接ＵＳＢ接続していないのはＯＮＵ部３００である）としてもよい。
【００９６】
まず、電源供給側となり得るＵＳＢデバイス６としてノートＰＣと加入者側装置４のＯＮＵ部１００がＵＳＢ接続する（ステップＳ７０１）。ＯＮＵ部１００は、ＵＳＢ経由での電源供給による動作に切り替える（ステップＳ７０２）。
【００９７】
ノートＰＣは、ＵＳＢ給電を開始した情報とともに自身が搭載するバッテリーの充電状態の情報をＵＳＢ経由でＯＮＵ部１００へ通知する（ステップＳ７０３）。ＯＮＵ部１００は、ノートＰＣから取得した情報をＨＧＷ部２００へ通知する（ステップＳ７０４）。
【００９８】
ＨＧＷ部２００は、取得した情報に基づいて、ノートＰＣの充電状態に余裕がある場合、例えば、利用可能推定時間が３時間以上と判断した場合は、動作モードを通常モードとする（ステップＳ７０５）。
【００９９】
また、ノートＰＣは、自身が搭載するバッテリーの充電状態の情報をＵＳＢ経由でＯＮＵ部１００へ通知する（ステップＳ７０６）。ＯＮＵ部１００は、ノートＰＣから取得した情報をＨＧＷ部２００へ通知する（ステップＳ７０７）。
【０１００】
ＨＧＷ部２００は、取得した情報に基づいて、ノートＰＣの充電状態に余裕がある場合、例えば、利用可能推定時間が１時間未満と判断した場合は、動作モードを省電力モードとする（ステップＳ７０８）。
【０１０１】
具体的に、ノートＰＣは、ＥｔｈｅｒｎｅｔのＯＡＭフレーム、ＩＰパケット、ＵＳＢによる通知、または専用線による通知、のうち少なくとも１つを用いてＯＮＵ部１００への通知を行い、ＯＮＵ部１００は、ノートＰＣから受けた通知をＨＧＷ部２００へ転送することができる。ノートＰＣが通知する内容には、自身が搭載するバッテリーの充電状態の情報の他、前述の図１４と同様、ＯＮＵ部１００へ電源の供給をしていることを含めてもよい。
【０１０２】
なお、ＨＧＷ部２００は、利用時間を持たせるため、ノートＰＣの充電状態によらずＵＳＢ給電の場合には常に省電力モードとしてもよい。
【０１０３】
このように、ＵＳＢデバイス６がノートＰＣである場合、ＨＧＷ部２００に対して、直接または間接的に給電情報を通知することができる。
【産業上の利用可能性】
【０１０４】
以上のように、本発明にかかる通信システムは、ＰＯＮシステムに有用であり、特に、省電力モードに移行可能な装置を備えたシステムに適している。
【符号の説明】
【０１０５】
１  上位ネットワーク
２  局側装置
３  分配器
４、４ａ  加入者側装置
５  商用電源
６  ＵＳＢデバイス
７  ＩＰ電話
８  アナログ電話
１００、３００  ＯＮＵ部
２００、４００  ＨＧＷ部
【図１】
2013201543.tif 000003
【図２】
2013201543.tif 000004
【図３】
2013201543.tif 000005
【図４】
2013201543.tif 000006
【図５】
2013201543.tif 000007
【図６】
2013201543.tif 000008
【図７】
2013201543.tif 000009
【図８】
2013201543.tif 000010
【図９】
2013201543.tif 000011
【図１０】
2013201543.tif 000012
【図１１】
2013201543.tif 000013
【図１２】
2013201543.tif 000014
【図１３】
2013201543.tif 000015
【図１４】
2013201543.tif 000016
【図１５】
2013201543.tif 000017